(57)【要約】      （修正有）【課題】弁座部における汚れの付着を効果的に防止することが可能なエアブローノズルを提供する。【解決手段】浴槽の壁に取り付けられエア供給配管に接続されエア供給路３３と弁座部５７とを備えたノズル本体３１と、ノズル本体のエア供給路を閉塞するように着脱可能に取り付けられエア噴出孔４７を備えたキャップ４３と、弁座部とキャップとの間のエア供給路内に移動可能に収容された弁体５９とを具備する。また、弁座部とキャップとの間のエア供給路は、キャップ側に設けられたテーパ部５１と、テーパ部の反キャップ側に連設された直線部５３と、直線部の弁座部側に連設された円弧状部５５とから構成されていて、弁体が弁座部に着座した状態で弁体の上端からテーパ部と直線部との境界部までの距離が弁体の直径の１／３以上に設定されている。【選択図】図４
0003174201.tif 000002
【実用新案登録請求の範囲】
【請求項１】
浴槽に取り付けられエア供給配管に接続されるとともにエア供給路と弁座部とを備えたノズル本体と、
上記ノズル本体のエア供給路を閉塞するように着脱可能に取り付けられエア噴出孔を備えたキャップと、
上記弁座部と上記キャップとの間の上記エア供給路内に移動可能に収容され上記弁座部を開閉する弁体と、を具備し、
上記弁座部と上記キャップとの間の上記エア供給路は、上記キャップ側に設けられたテーパ部と、上記テーパ部の反キャップ側に連設された直線部と、上記直線部の上記弁座部側に連設された円弧状部とから構成されていて、
上記弁体が上記弁座部に着座した状態で上記弁体の上端から上記テーパ部と上記直線部との境界部までの距離（Ｌ１）が上記弁体の直径（Ｄ１）の１／３以上になるように設定されていることを特徴とするエアブローノズル。
【請求項２】
請求項１記載のエアブローノズルにおいて、
上記テーパ部の軸方向長さと上記直線部の軸方向長さは同じ又は略同じに設定されていることを特徴とするエアブローノズル。
【請求項３】
請求項２記載のエアブローノズルにおいて、
上記キャップの上記テーパ部側の面には上記弁体が嵌合する凹嵌部が形成されていることを特徴とするエアブローノズル。
【考案の詳細な説明】
【技術分野】
【０００１】
本考案は、例えば、エアブロー機能付浴槽装置に取り付けられるエアブローノズルに係り、特に、キャップと弁座部との間のエア供給路における汚れの付着を防止することができるように工夫したものに関する。
【背景技術】
【０００２】
エアブロー機能付浴槽装置は概略次のような構成になっている。まず、浴槽があり、この浴槽の底壁には複数個のエアブローノズルが取り付けられている。又、エアブローポンプが設置されていて、このエアブローポンプの吐出側と上記複数個のエアブローノズルはエア供給配管によって接続されている。そして、上記エアブローポンプを起動することにより、上記複数個のエアブローノズルを介してエアを浴槽内の湯中に噴出させるものである。
【０００３】
上記エアブローノズルは、例えば、図５に示すような構成になっている。まず、浴槽の底壁１０１があり、この底壁１０１には貫通孔１０３が穿孔されている。上記貫通孔１０３内には、ノズル本体１０５が嵌合・配置されている。このノズル本体１０５は真鍮製である。このノズル本体１０５は自身のフランジ部１０７と締結ナット１０９とによって、上記底壁１０１を挟むようにして取り付けられている。上記フランジ部１０７と底壁１０１との間にはパッキン１１１が介装されている。又、上記締結ナット１０９と底壁１０１との間にはパッキン１１３と座金１１５が介装されている。
【０００４】
又、上記ノズル本体１０５の下端にはエア供給配管１１７が連結されていて、このエア供給配管１１７は図示しないエアブローポンプに接続されている。
【０００５】
上記ノズル本体１０５にはエア供給路１１９が形成されていて、このエア供給路１１９の先端(図５（ｂ）中上端側)は開口部１２１となっている。上記エア供給路１１９の上記開口部１２１側には弁座部１２３が形成されていて、この弁座部１２３には球状の弁体１２５が移動可能な状態で設置されている。
【０００６】
上記開口部１２１にはキャップ１２７が着脱可能に取り付けられるようになっている。このキャップ１２７には複数個のエア噴出口１２９が形成されている。
【０００７】
上記構成によると、浴槽内にお湯が入っている状態で、適宜のタイミングでエアブローポンプを起動する。それによって、複数個のエアブローノズルを介してエアが噴出されることになる。すなわち、エアの供給によって、弁体１２５が上方に浮上して弁座部１２３が解放される。それによって、エア噴出孔１２９を介してエアが噴出されることになる。
【０００８】
又、エアブローポンプを停止することにより、上記弁体１２５は自重によって弁座部１２３上に落下し弁座部１２３を閉じることになる。それによって、浴槽内のお湯のエアブローノズル側への流入を防止するようにしている。
【０００９】
この種のエアブローノズルの構成を開示するものとして、例えば、特許文献１、特許文献２等がある。
【００１０】
ところが、上記従来の構成によると次のような問題があった。
まず、弁体１２５と弁座部１２３とから構成される弁部の止水性能が低いという問題があった。弁体１２５と弁座部１２３とからなる弁部の止水性能が低い場合には、エアブローポンプを停止したときにお湯の一部がエアブローノズルひいてはエア供給配管１１７内に浸入してしまい、それが次の起動時にエアと共に逆流してしまうことになる。その場合、使用者にとっては冷たい水が当たるような感覚を覚えることとなり、ある種の不快感を与えてしまうという問題があった。
又、エア供給配管１１７内に水が溜まってしまいそこに雑菌が繁殖してしまうことも予想される。その場合には、その繁殖した雑菌が上記逆流によって浴槽内に入ってしまうことになり、衛生上の問題にもなっていた。
【００１１】
そこで、本件実用新案登録出願人は、特許文献３に示すような発明を提案している。
【先行技術文献】
【特許文献】
【００１２】
【特許文献１】特開平１０−５１４５号公報
【特許文献２】特開平１０−５１４６号公報
【特許文献３】特開２００７−３１９５７４号公報
【考案の概要】
【考案が解決しようとする課題】
【００１３】
上記従来の構成によると次のような問題があった。
すなわち、特許文献３に記載された発明により、止水性能の向上を図ることはできたが、キャップ１２７と弁座部１２３との間のエア供給路の内壁への汚れの付着という別の問題が残ってしまった。
【００１４】
本考案はこのような点に基づいてなされたものでその目的とするところは、キャップと弁座部との間のエア供給路の内壁への汚れの付着を効果的に防止することが可能なエアブローノズルを提供することにある。
【課題を解決するための手段】
【００１５】
上記目的を達成するべく本願考案の請求項１によるエアブローノズルは、浴槽の壁に取り付けられエア供給配管に接続されるとともにエア供給路と弁座部とを備えたノズル本体と、上記ノズル本体のエア供給路を閉塞するように着脱可能に取り付けられエア噴出孔を備えたキャップと、上記弁座部と上記キャップとの間の上記エア供給路内に移動可能に収容された弁体と、を具備し、上記弁座部と上記キャップとの間の上記エア供給路は、上記キャップ側に設けられたテーパ部と、上記テーパ部の反キャップ側に連設された直線部と、上記直線部の上記弁座部側に連設された円弧状部とから構成されていて、上記弁体が上記弁座部に着座した状態で上記弁体の上端から上記テーパ部と上記直線部との境界部までの距離（Ｌ１）が上記弁体の直径（Ｄ１）の１／３以上になるように設定されていることを特徴とするものである。
又、請求項２によるエアブローノズルは、請求項１記載のエアブローノズルにおいて、上記テーパ部の軸方向長さと上記直線部の軸方向長さは同じ又は略同じに設定されていることを特徴とするものである。
又、請求項３によるエアブローノズルは、請求項２記載のエアブローノズルにおいて、上記キャップの上記テーパ部側の面には上記弁体が嵌合する凹嵌部が形成されていることを特徴とするものである。
【考案の効果】
【００１６】
以上述べたように本考案の請求項１のエアブローノズルによると、浴槽の壁に取り付けられエア供給配管に接続されるとともにエア供給路と弁座部とを備えたノズル本体と、上記ノズル本体のエア供給路を閉塞するように着脱可能に取り付けられエア噴出孔を備えたキャップと、上記弁座部と上記キャップとの間の上記エア供給路内に移動可能に収容された弁体と、を具備し、上記弁座部と上記キャップとの間の上記エア供給路は、上記キャップ側に設けられたテーパ部と、上記テーパ部の反キャップ側に連設された直線部と、上記直線部の上記弁座部側に連設された円弧状部とから構成されていて、上記弁体が上記弁座部に着座した状態で上記弁体の上端から上記テーパ部と上記直線部との境界部までの距離（Ｌ１）が上記弁体の直径（Ｄ１）の１／３以上になるように設定されているので、直線部の長さを十分なものして、上昇・下降時における弁体の移動範囲を拡大することができ、それによって、弁体のエア供給路の内壁への衝突頻度を高めて、エア供給路の内壁への汚れの付着を効果的に防止することができる。
又、請求項２によるエアブローノズルは、請求項１記載のエアブローノズルにおいて、上記テーパ部の軸方向長さと上記直線部の軸方向長さは同じ又は略同じに設定されているので、テーパ部についてもその長さを十分なものとすることができ、それによっても、上昇・下降時における弁体の移動範囲を拡大することができ、それによって、弁体のエア供給路の内壁への衝突頻度を高めて、エア供給路の内壁への汚れの付着を効果的に防止することができる。
又、請求項３によるエアブローノズルは、請求項２記載のエアブローノズルにおいて、上記キャップの上記テーパ部側の面には上記弁体が嵌合する凹嵌部が形成されているので、凹嵌部の分だけ弁体の移動範囲を拡げることができ、それによって、上記効果をより高めることができる。
【図面の簡単な説明】
【００１７】
【図１】本考案の一実施の形態を示す図で、エアブロー機能付浴槽装置の全体の構成を示す側面図である。
【図２】本考案の一実施の形態を示す図で、エアブロー機能付浴槽装置の浴槽の平面図である。
【図３】本考案の一実施の形態を示す図で、図３（ａ）はエアブローノズルの平面図、図３（ｂ）は図３（ａ）のｂ−ｂ半裁断面図である。
【図４】本考案の一実施の形態を示す図で、図４（ａ）はエアブローノズルの取付状態を示す平面図、図４（ｂ）は図４（ａ）のｂ−ｂ断面図である。
【図５】従来例を示す図で、図５（ａ）はエアブローノズルの取付状態を示す平面図、図５（ｂ）は図５（ａ）のｂ−ｂ断面図である。
【考案を実施するための形態】
【００１８】
以下、図１乃至図４を参照して本考案の一実施の形態を説明する。図１は本実施の形態によるエアブローノズルを使用したエアブローノズル機能付浴槽装置の全体の構成を示す側面図であり、図２は浴槽の平面図である。
まず、浴槽１があり、この浴槽１には、図示しない給水栓を介して湯が供給されるように構成されている。又、図２に示すように、浴槽１の側壁３の所定位置には排水栓５が設置されていて、該排水栓５を介して使用済みの湯を適宜排水できるように構成されている。
【００１９】
上記浴槽１にはエアブロー装置１１が設置されている。以下、このエアブロー装置１１の構成を説明する。まず、エアブローポンプ１３が設置されており、このエアブローポンプ１３の吐出側にエア供給配管１５が接続されている。一方、図２に示すように、浴槽１の底壁３の所定位置には複数個（この実施の形態の場合には６個）のエアブローノズル１７が取り付けられている。上記エアブローノズル１７にはエア供給配管１９がそれぞれ接続されている。これら複数本のエア供給配管１９は一本のエア供給配管２１に集合している。そして、このエア供給配管２１と既に説明したエア供給配管１５がエア供給ホース２３を介して接続されている。
【００２０】
上記エアブローポンプ１３には制御盤２５が設置されていて、この制御盤２５を介して各種の制御を行うものである。
【００２１】
上記エアブローノズル１３は、図３、図４に示すような構成になっている。図３（ａ）は本実施の形態によるエアブローノズル１３の構成を示す平面図、図３（ｂ）は図３（ａ）のｂ−ｂ半裁断面図、図４（ａ）は本実施の形態によるエアブローノズル１３を浴槽１の底壁３に実際に取り付けた状態を示す平面図、図４（ｂ）は図４（ａ）のｂ−ｂ断面図である。
【００２２】
まず、ノズル本体３１があり、このノズル本体３１はステンレス製（ＳＵＳ３０４）であって、中空形状をなしていてエア供給路３３が形成されている。又、上記ノズル本体３１の先端（図３（ｂ）中上端）にはフランジ部３５が形成されている。このフランジ部３５の内周側にはキャップ凹嵌部３７が形成されていて、このキャップ凹嵌部３７の内周面には雌ねじ部３９が設けられている。又、上記ノズル本体３１には雄ねじ部４１が設けられている。
【００２３】
上記キャップ凹嵌部３７にはステンレス製（ＳＵＳ３０４）のキャップ４３が着脱可能に螺合・固定されている。上記キャップ４３は略円板形状をなしていて、外周部に雄ねじ部４５が設けられている。又、上記キャップ４３には周方向に均等な三箇所にエア噴出孔４７、４７、４７がそれぞれ穿孔されている。又、上記キャップ４３の内側面には後述する弁体の一部が嵌合する弁体凹嵌部４９が形成されている。この弁体凹嵌部４９の機能については追って後述する。
【００２４】
上記ノズル本体３１のエア流路３３の先端部（図３（ｂ）中上端部）、すなわち、上記キャップ４３側の端部には、まず、テーパ部５１が形成されている。このテーパ部５１の反先端部側には直線部５３が連続して設けられている。この直線部５３の反先端部側には円弧状部５５が連続して設けられている。又、上記円弧状部５５の反先端部側は弁座部５７となっている。又、上記弁座部５７にはステンレス製（ＳＵＳ３０４）であって球状をなす弁体５９が移動可能な状態で着座されている。
【００２５】
上記テーパ部５１、直線部５３、円弧状部５５、上記弁体５９との間には次の式（Ｉ）に示すような関係が設定されている。
Ｌ１≧Ｄ１／３―――（Ｉ）
但し、
Ｌ１：弁体５９が上記弁座部５７に着座した状態で、上記弁体５９の上端から上記テーパ部５１と上記直線部５３との境界部までの距離
Ｄ１：弁体の直径
このように設定することにより、上記弁体５９の上昇・下降時における移動範囲を十分なものとし、弁体５９が回転しながら上昇・落下する際、エア供給路３３の内壁に対する衝突頻度を高め、それによって、エア供給路３３の内壁に対する汚れの付着を効果的に防止するようにしている。
【００２６】
又、上記テーパ部５１の軸方向長さと上記直線部５３の軸方向長さは同じ又は略同じに設定されている。これによって、テーパ部５１についてもその長さを十分なものとすることができ、それによっても、上昇・下降時における弁体の移動範囲を拡大することができ、弁体５９のエア供給路３３の内壁への衝突頻度を高めて、エア供給路３３の内壁への汚れの付着を効果的に防止することができるように構成されている。
尚、前述した弁体凹嵌部４９には、上記弁体５９が上昇した場合にその一部が嵌合することになる。この弁体凹嵌部４９によっても、弁体５９の移動範囲の拡大を図ることができる。
【００２７】
又、図３、図４中符号６１、６３はパッキンであり、符号６５はステンレス（ＳＵＳ３０４）製の座金であり、又、符号６７はＣ３６０４ＢＤ（真鍮）製の六角ナットである。そして、図４に示すように、上記ノズル本体３１を底壁３の貫通孔６９を貫通・配置させた状態で、ノズル本体３１のフランジ部３５と底壁３との間にパッキン６１を介在させ、底壁３と六角ナット６７との間にパッキン６３と座金６５を介在させ、その状態で、上記六角ナット６３７をノズル本体３１の雄ねじ部４１に螺合させることにより、ノズル本体３１及び各部品を底壁３に取付・固定しているものである。
【００２８】
以上の構成を基にその作用を説明する。
浴槽１内に湯が入っている状態で、適宜のタイミングでエアブローポンプ１３を起動する。それによって、エアが供給されて複数個のエアブローノズル１７を介して噴出されることになる。すなわち、エアの供給によって、弁体５９が上方に浮上して、弁座部５７が開放される。それによって、エアがエア噴出孔４７を介して噴出されることになる。
【００２９】
又、エアブローポンプ１３を停止することにより、上記弁体５９は自重によって弁座部５７上に落下して弁座部５７を閉じることになる。それによって、浴槽１内の湯の流入を防止するようにしている。
【００３０】
上記弁体５９の上昇・降下動作についてさらに詳しく説明する。
まず、弁体５９の上昇動作であるが、この場合には、エアブローポンプ１３の起動により、弁座部５７に着座している弁体５９が、上方に向かって回転しながら上昇していき、その際、キャップ４３と弁座部５７との間のエア供給路３３の内壁に衝突しながら上昇していく。それによって、キャップ４３と弁座部５７との間のエア供給路３３の内壁に付着している汚れが除去されるとともに、新たな汚れの付着が防止される。弁体５９はキャップ４３の弁体凹嵌部４３に嵌合した状態で浮上・停止する。
【００３１】
又、弁体５９が降下する場合も同様である。この場合には、エアブローポンプ１３の停止により、キャップ４３の弁体凹嵌部４３に浮上・嵌合している弁体５９が、自重によって下方に向かって回転しながら下降していき、その際、キャップ４３と弁座部５７との間のエア供給路３３の内壁に衝突しながら下降していく。それによって、キャップ４３と弁座部５７との間のエア供給路３３の内壁に付着している汚れが除去されるとともに、新たな汚れの付着が防止される。
【００３２】
そして、エアプローポンプ１３は、例えば、タイマー設定により間欠的に運転されるものであり、又、使用者の操作によっても間欠的な運転となる。それによって、上記弁体５９の上昇・下降が繰り返されることになり、この弁体５９の繰り返しの上昇・下降により、上記汚れ除去・汚れ付着防止作用が繰り返されることになる。
【００３３】
以上本実施の形態によると次のような効果を奏することができる。
まず、弁体５９が上記弁座５７に着座した状態で、上記弁体５９の上端から上記テーパ部５１と上記直線部５３との境界部までの距離（Ｌ１）を、上記弁体の直径（Ｄ１）の１／３以上に設定しているので、弁体５９の上昇・下降時の移動範囲を十分なものとすることができる。それによって、上昇・下降時における弁体５９のエア供給路３３の内壁に対する衝突頻度を高めることができ、エア供給路３３の内壁に付着している汚れを効果的に除去することができるとともに、新たな汚れの付着を効果的に防止することができる。
又、上記テーパ部５１の軸方向長さと上記直線部５３の軸方向長さは同じ又は略同じに設定されているので、テーパ部５１についてもその長さを十分なものとすることができ、それによっても、上昇・下降時における弁体の移動範囲を拡大することができ、弁体５９のエア供給路３３の内壁への衝突頻度を高めて、エア供給路３３の内壁への汚れの付着を効果的に防止することができる。
又、上記キャップ４３の上記テーパ部５１側の面には上記弁体５９が嵌合する弁体凹嵌部４９が形成されているので、弁体凹嵌部４９の分だけ弁体５９の移動範囲を拡げることができ、それによっても、上記効果をより高めることができる。
又、本実施の形態の場合には、ノズル本体３１と弁体５９との間に特に別部材のシール部材を設ける構成ではないので、部品点数も少なく、部品管理の容易化やコストの低減を図ることができる。
【００３４】
尚、本考案は前記一実施の形態に限定されるものではない。
例えば、テーパ部５１と上記直線部５３との境界部までの距離（Ｌ１）を、弁体の直径（Ｄ１）の１／３以上に設定する場合、どの程度の大きさにするかは任意である。
又、各部品の材質についてはこれを特に限定するものではない。
その他、図示した構成はあくまで一例である。
【符号の説明】
【００３５】
１  浴槽
１３  エアブローポンプ
１７  エアブローノズル
３１  ノズル本体
３３  エア供給路
３５  フランジ部
４３  キャップ
４７  エア噴出孔
５１  テーパ部
５３  直線部
５５  円弧状部
５７  弁座部
５９  弁体
【図１】
0003174201.tif 000003
【図２】
0003174201.tif 000004
【図３】
0003174201.tif 000005
【図４】
0003174201.tif 000006
【図５】
0003174201.tif 000007